(57)【要約】【課題】ポスター等のシート状物を陳列販売する際、シート状に開かれて陳列されているシート状物について、シート面に表されている図画、色彩を容易に確認することができるシート状物の陳列什器、およびシート状物の識別部材を提供すること【解決手段】シート状物が収納される収納体を回動可能に複数備えており、収納体は、積層して収納されるシート状物の４方の端部のうち隣接する２端部または３端部において、各端部を３方向から囲む第１支持体を備え、シート状物の４方の端部のうち他の隣接する２端部または１端部については、少なくともシート状物の積層面は開口されてなる。シート状物は、隣接する２端部または３端部において第１支持体に囲まれて支持されると共に、他の隣接する２端部または１端部からシート状物の出し入れを行なうことができ、シート面の視認もできる。【選択図】図１
2006136733.tif 000002
【特許請求の範囲】
【請求項１】
シート状物が収納される収納体を回動可能に複数備えるシート状物の陳列什器であって、
前記収納体は、
積層して収納される前記シート状物の４方の端部のうち隣接する２端部または３端部において、各端部を３方向から囲む第１支持体を備え、
前記シート状物の４方の端部のうち他の隣接する２端部または１端部については、少なくとも前記シート状物の積層面は開口されてなることを特徴とするシート状物の陳列什器。
【請求項２】
積層して収納される前記シート状物の４方の端部のうち、更に少なくとも１端部において、積層して収納される前記シート状物の最外側のシート面に対向する第２支持体を備えることを特徴とする請求項１に記載のシート状物の陳列什器。
【請求項３】
前記第１支持体は、断面視略コ字状の枠体が、積層して収納される前記シート状物の３端部に沿って備えられ、
前記第２支持体は、前記第１支持体の両端部を接続し、
前記第１および第２支持体は、収納される前記シート状物のシート面の外周縁に対向して備えられることを特徴とする請求項２に記載のシート状物の陳列什器。
【請求項４】
筒状に巻回されたシート状物の端部に装着して該端部の保護と識別をするシート状物の識別部材であって、
巻回された前記シート状物の外側面に対向する筒状部と、
前記筒状部の一端のうち少なくとも一部を閉塞する閉塞面であって、粗面加工された外方面を有する蓋部とを備えることを特徴とするシート状物の識別部材。
【請求項５】
前記粗面加工はエンボス加工であることを特徴とする請求項４に記載のシート状物の識別部材。
【請求項６】
前記蓋部は、
前記粗面加工された領域であって、識別ラベルが貼着される貼着部と、
貼着された前記識別ラベルに少なくとも一部が覆われ、前記貼着部における前記識別ラベルの貼着面に対して後退した面を有する凹状部、または開口部とを備えることを特徴とする請求項４に記載のシート状物の識別部材。
【発明の詳細な説明】
【技術分野】
【０００１】
本発明は、表面に図画が施されたシート状物を展示・販売する際の商品陳列に関するものであり、特に、陳列時や商品管理時の各商品の識別性向上を図ったシート状物の陳列什器、およびシート状物の識別部材に関するものである。
【背景技術】
【０００２】
特許文献１は、タペストリーやポスターの収納容器として合成樹脂性シート材を袋状に形成し、上部にハトメ孔等を設けて吊り下げ展示、販売する構成では、収納物を取り出した後に収納容器が再利用できず、吊り下げられた状態から所望の収納容器のみを取り出し難い難点に鑑みてなされたものである。
【０００３】
特許文献１の収納容器は、上部に略鉤状のフック部を有し、下部に係止軸部を有するフック体と、係止軸部を介してフック体が回転自在に且つ着脱自在に装着される係止孔を天板に有する蓋体と、筒体の上端開口部分に装着される蓋取付体と、筒体の下端開口部に装着される底体とを備えている。ここで、筒体は、紙製あるいは合成樹脂製である。
【０００４】
また、特許文献２では、縦横に所要の間隔を存してねじ孔を多数箇所開設したボード板を備えたカード類ラックが開示されている。ねじ孔に合う取付孔を開設したパンフレット、カタログ等の展示材をボード板面に重ね、止ねじにより固定する。また、多様なサイズのポスター、パネル等の展示材は、取付孔を開設した取付金具を止ねじによりボード板に固定し、取付金具の上端部に展示材を掛け、ボード板に配置する。
【０００５】
【特許文献１】実開平５−６４８号広報
【特許文献２】実登３０８７１７９号広報
【発明の開示】
【発明が解決しようとする課題】
【０００６】
しかしながら、上記の特許文献１では、収納容器の筒体が紙製である場合には、どのような図柄や色彩等のタペストリー等が収納されているかは、展示、販売のために吊り下げられた状態では確認することができない。
【０００７】
この場合、特許文献１には、筒態の外表面に収納物の絵柄等と同様の絵柄等をあらわしておくことが記載されている。しかしながら、この場合にも、複数の収納容器が吊り下げられている状態では、多数の収納容器が隣接して吊り下げられており、筒体の外表面にあらわされた図柄を確認することは容易ではない。また、筒体の外表面に図柄をあらわす場合、通常、外表面に図柄を貼付することが考えられるところ、筒体が紙製であれば、貼付された図柄を剥がすことは難しい。収納容器に別図柄を収納する際、外表面の図柄の取替え作業に手間がかかり問題である。
【０００８】
また、特許文献２では、小孔を開けたパンフレットケース、ポスターパネルなどの物品の、展示状態の組替えが自由に行われるものではある。しかしながら、パンフレットやカタログ等の小サイズの展示物であれば、展示材に多数枚を収納しておくことはできるものの、ポスター等の大きなサイズの展示物にあっては、多数枚を展示することはできない。また、ボード板の面積の制約から、多種類のポスター等を展示することはできない。ポスター等のシート状物を消費者が確認しながら選択して購買する際の陳列什器には不向きである。
【０００９】
本発明は前記背景技術に鑑みなされたものであり、ポスター、パネル等の図画表示物や、タペストリー、クロス等の平面状の装飾品等のシート状物を陳列販売する際、シート状に開かれて陳列されているシート状物について、また筒状に巻かれている状態にあっても、シート面に表されている図画または／および色彩を容易に確認することができるシート状物の陳列什器、およびシート状物の識別部材を提供することを目的とする。
【課題を解決するための手段】
【００１０】
前記目的を達成するために、本発明に係るシート状物の陳列什器は、シート状物が収納される収納体を回動可能に複数備えるシート状物の陳列什器であって、収納体は、積層して収納されるシート状物の４方の端部のうち隣接する２端部または３端部において、各端部を３方向から囲む第１支持体を備え、シート状物の４方の端部のうち他の隣接する２端部または１端部については、少なくともシート状物の積層面は開口されてなることを特徴とする。
【００１１】
本発明のシート状物の陳列什器では、積層して収納されるシート状物の４方の端部のうち隣接する２端部または３端部に第１支持体を備えて、各々の端部で積層して収納されるシート状物を３方向から囲んで支持する。そして、他の隣接する２端部または１端部の積層面は開口されている。
【００１２】
これにより、収納体に収納されるシート状物は、４方の端部のうち隣接する２端部または３端部において第１支持体により囲まれて支持される。他の隣接する２端部または１端部は開放されており、シート状物のシート面を視認することができる。また収納体へのシート状物の出し入れを行なうことができる。
【００１３】
各収納体が回動可能に備えられていることと相俟って、複数の収納体の各々に、積層されて収納されている複数のシート状物を順次視認した上で、必要となるシート状物を取出し、または補充等のために収納することができ、シート状物を陳列して販売するに好適な陳列什器を提供することができる。
【００１４】
更に、積層して収納されるシート状物の４方の端部のうち、更に少なくとも１端部において、積層して収納されるシート状物の最外側のシート面に対向する第２支持体を備えていてもよい。
【００１５】
これにより、シート状物の収納体への出し入れが行なわれる端部においても、収納されているシート状物のシート面が支持される。シート状物の出し入れが可能な開口部を有しながら収納されているシート状物をより確実に支持することができる。
【００１６】
また、第１支持体は、断面視略コ字状の枠体が、積層して収納されるシート状物の３端部に沿って備えられ、第２支持体は、第１支持体の両端部を接続し、第１および第２支持体は、収納されるシート状物のシート面の外周縁に対向して備えられることが好ましい。
【００１７】
これにより、断面形状が略コ字状に屈曲された枠体が、シート状物の３方を囲んで第１支持体を構成し、略コ字状の枠体の両端部が、シート状物のシート面に対向する第２支持体で連結されて、収納体が構成される。シート状物の３方を囲んで各端部に対向して枠体を備えているので、シート状物が収納体中で移動したり湾曲したりすることなく確実に収納保持することができる。また、第２支持体には、シート状物の端部に対向して開口部が形成されており、ここからシート状物をスライドさせて収納体から出し入れすることができる。
【００１８】
また、本発明に係るシート状物の識別部材は、筒状に巻回されたシート状物の端部に装着して端部の保護と識別をするシート状物の識別部材であって、巻回されたシート状物の外側面に対向する筒状部と、筒状部の一端のうち少なくとも一部を閉塞する閉塞面であって、粗面加工された外方面を有する蓋部とを備えることを特徴とする。
【００１９】
本発明のシート状物の識別部材では筒状部と蓋部とを備え、筒状に丸められたシート状物の端部に装着される。装着状態において筒状部が筒状のシート状物の外側面に対向する。蓋部は、筒状部の一端のうち少なくとも一部を閉塞する閉塞面であり、外方面に粗面加工が施されている。この場合、粗面加工とはエンボス加工が考えられる。
【００２０】
これにより、識別部材が、筒状に丸められたシート状物の端部を覆って装着されるので、シート状物の筒状端部を保護することができる。筒状端部の折れ、破れ等を防止することができる。
【００２１】
また、識別部材の蓋部外方面に識別ラベルを貼着することにより、筒状に丸められた状態でシート状物を識別することができる。このとき、識別ラベルが貼着される蓋部の外方面に粗面加工が施されているので、粗面部位での識別ラベルの貼着力を制限することができる。また、識別ラベルの貼り変えの際、容易に識別ラベルを剥がすことができる。同時に識別ラベルが剥がされた蓋部外方面に粘着剤や剥がし残し等が残存することはなく、識別部材を何度も再利用することができる。また、販売時に識別ラベルを容易に剥がすことができ、販売数量の把握や追加発注等、在庫管理に資するところ大である。
【００２２】
更に、蓋部は、粗面加工された領域であって、識別ラベルが貼着される貼着部と、貼着された識別ラベルに少なくとも一部が覆われ、貼着部における識別ラベルの貼着面に対して後退した面を有する凹状部、または開口部とを備えていてもよい。
【００２３】
これにより、貼着された識別ラベルのうち、凹状部または開口部との重なり部分を押圧すれば、押圧された部分を中心に識別ラベルが押し込まれ、貼着部に貼着されている識別ラベルの少なくとも一部を貼着部から遊離させることができる。識別ラベルを剥がす際に便宜である。
【発明の効果】
【００２４】
本発明によれば、ポスター、パネル等の図画表示物や、タペストリー、クロス等の平面状の装飾品等のシート状物を陳列販売する際、シート状に開かれて陳列されているシート状物について、また筒状に巻かれている状態にあっても、シート面に表されている図画または／および色彩を容易に確認することができるシート状物の陳列什器、およびシート状物の識別部材を提供することが可能となる。
【発明を実施するための最良の形態】
【００２５】
以下、本発明のシート状物の陳列什器、およびシート状物の識別部材について具体化した実施形態を図１乃至図７に基づき図面を参照しつつ詳細に説明する。以下の説明では、シート状物の具体例としてポスターを例にとり説明する。
【００２６】
尚、以下に説明する実施形態を、ポスター以外のパネルや、タペストリー、クロス等、その他のシート状物に適用することは可能である。この場合、タペストリーやクロス等のそれ自体では自立することができないシート状物や、ポスターやパネルであっても自立が困難な場合には、自立可能な板状支持部材にシート状物を重ね、透明フィルムなどでラッピングしてやればよいことはいうまでもない。
【００２７】
図１に示すポスターの陳列什器１は、筒状に巻回されたポスターを陳列する構造部分（Ｂ）のほか、ポスターを平板上の開いた状態で陳列する構造部分（Ａ）を備えて構成されている。このうち、ポスターを筒状に巻回された状態で陳列販売する構造部分（Ｂ）については、従来から使用されている陳列什器と同様の構成であるので、ここでの説明は省略する。
【００２８】
構造部分（Ａ）は、陳列什器１の支持台２に固定された２本の支柱２１、２２の間に水平方向に架け渡された２本の支持体２３、２４に、複数のポスター収納体１１が支持されて構成されている。このとき、支持体２３、２４への収納体１１の装着は、後述する機構により、ポスター収納体１１が回動可能に装着される。
【００２９】
図２は、収納体１１の構造、およびポスターＰの収納方法について説明する図である。収納体１１には、ポスターＰが平面状に開かれた状態で複数枚積層されて収納される。ポスターＰの４方の端部のうち、ポスターＰの出し入れのために開口されている端部を除く３端部には、ポスターＰの端部を囲むように、断面形状が略コ字状に形成された枠体１２、１３、１４が備えられている。枠体１２、１３、１４が第１支持体の一例である。枠体１２、１３、１４は、各々が接続されてポスターＰの３端部を囲むように構成されている。
【００３０】
各々が接続された枠体１２、１３、１４は、一体に成型することも可能であるほか、枠体１２、１３、１４ごとに別体として成型した後、枠体１２と枠体１３、および枠体１３と枠体１４を、溶接等により連結することも考えられる。この場合、各枠体１２、１３、１４を、すべて略同一の略コ字状形状に成型すればよい。製造工程が簡便となり好都合である。例えば、断面形状が略コ字状となる成型部材をあらかじめ製作しておき、必要に応じて、各枠体１２、１３、１４の長さで必要数を切り出すこともできる。
【００３１】
また、ポスターＰの出し入れがされる開口を有する端部には、積層されて収納されているポスターＰのうち最外側にあるポスターＰのシート面に対向する第２支持体１５が備えられている。第２支持体１５は、枠体１２、１３、１４の両端部、すなわち、枠体１２および１４の端部間であって、収納されているポスターＰのシート面に対向する部分に連結される。
【００３２】
第２支持体１５が枠体１２、１３、１４に連結されることにより、ポスターＰのシート面の外周縁に沿って収納体１１の支持枠１６、１７が形成される。このとき、枠体１２、１３、１４における略コ字状形状の支持枠１６、１７形成領域の幅、および第２支持体１５の幅を調整してやれば、ポスターＰのシート面をその外周縁で支持する際、シート面の中央部は視認可能な状態に維持される。
【００３３】
尚、収納体１１からのポスターＰの取出しを容易にするため、第２支持体１５に切り欠き部２７を備えていることが好ましい。
【００３４】
ここで、収納部１１では、支持枠１６、１７をポスターＰの両側に備える場合を示している。両側のシート面に図画、装飾などが施されているポスターＰを収納する場合には、陳列時に両シート面を視認することができる。また、片側にのみ図画、装飾等を存するポスターＰを陳列する場合には、収納体１１内で、背あわせに２種類のポスターＰを収納してやればよい。各々の支持枠１６、１７に支持された各ポスターＰのシート面を視認することができる。
【００３５】
収納体１１は、開口された端部を手前側にして陳列什器１に装着されるので、収納されているポスターＰのシート面を視認して、そこに描かれている図画、装飾等を確認しながら、必要となるポスターＰを開口から取出すことができる。また、収納枚数が少ないポスターＰについては補充をする必要がある場合にも、収納体１１に収納されている状態でポスターＰのシート面を容易に視認することができるので、補充すべきポスターＰを容易に確認することができる。
【００３６】
図３は、収納体１１の陳列什器１への装着構造の一例を示す図である。収納体１１には支持枠１６および１７の各々に、シート面が視認可能に支持される構成を有している。また、図１に示すように、陳列什器１には複数の収納体１１が装着される場合がある。このため、収納体１１は回動可能に陳列什器１に装着することが好ましい。収納体１１を回動することにより、収納体１１の両面に、視認可能に収納されているシート面を確認することができると共に、複数の収納体１１を順次選んでシート面を視認することができる。
【００３７】
支柱２１、２２の間に水平方向に架け渡された２本の支持体２３、２４には、互いに対向して、上下方向において同一位置に同一ピッチで、複数の支持孔２３Ｈ、２４Ｈが開口されている。一方、収納体１１の背面部、すなわちポスターＰの出し入れが行なわれる開口のある端部に対向する端部の背面には、上下各々の方向に、突状部２５、２６が設置されている。
【００３８】
収納体１１が陳列什器１に装着される際、突状部２５が支持体２３に開口されているに支持孔２３Ｈ挿入され、突状部２６が支持体２４に開口されているに支持孔２４Ｈ挿入される。これにより、収納体１１は、突状部２６、２７を回動軸として回動可能に装着される。
【００３９】
尚、支持体２３、２４の各々に開口されている支持孔２３Ｈ、２４Ｈは、支持体２３、２４を貫通する貫通孔であっても、各々の突状部２６、２７が十分に挿入可能な非貫通孔であってもよい。
【００４０】
これにより、収納体１１は、陳列什器１に装着された際、隣接する収納体１１により規制される範囲内で回動することができる。
【００４１】
図４に示す収納体１１Ａ（図４（Ａ））、１１Ｂ（図４（Ｂ））は、収納体の変形例である。
【００４２】
図４（Ａ）に示す収納体１１Ａは、ポスターＰの２つの端部において第１支持体１３Ａ、１４Ａが構成される場合である。各々の端部において、第１支持体１３Ａ、１４Ａは積層されて収納されるポスターＰを３方向から囲む構成を有している。
【００４３】
これにより、ポスターＰのシート面は、第１支持体１３Ａ、１４Ａの存する各端部から延伸された支持面１６Ａ、１７Ａにより支持されている。ここでは、第２支持体は備えない場合を例示している。シート面の上半部は支持体により規制されることはなく、この部分によりシート面を視認することができる。また、ポスターＰの２方向が開口されており、より容易にポスターＰの出し入れを行なうことができる。ここで、支持面１６Ａ、１７Ａを切り欠き、または／および開口することにより、視認可能な領域を増やすことができる。
【００４４】
図４（Ｂ）に示す収納体１１Ｂは、ポスターＰの２つの端部において、収納部１１（図２）の枠体１３、１４と同様な略コ字状の枠体１３Ａ、１４Ａを備えて第１支持体とする場合である。第２支持体１５Ｂは、第１支持体の両端部である枠体１３Ａ、１４Ａの端部を連結して構成されている。
【００４５】
これにより、収納体１１（図２）の場合と同様に、ポスターＰのシート面の視認領域を十分に確保しながら、収納体１１Ａの場合と同様に、ポスターＰの２方向が開口されて、ポスターＰの出し入れをより容易に行なうことができる。
【００４６】
図５乃至図７では、ポスターＰが筒状に巻回された場合に、筒状端部のポスターＰの角折れや破れ等を防止しながら、ポスターＰのシート面に表示されている図画、装飾を識別可能とする識別部材について説明する。
【００４７】
識別部材１８は、巻回されたポスターＰの外側面に対向する筒状部１９を備え、筒状形状の一端部を閉塞する閉塞面として蓋部２０を備えて構成されている。蓋部２０は、その中心部分に開口部２０Ｂを備え、開口部２０Ｂを取り巻く外周面であって蓋部２０の外方面には、エンボス加工等による粗面加工が施された貼着部２０Ａが構成されている。筒状に巻回されたポスターＰの内容を示す識別ラベル３１が貼着部２０Ａに貼着される。
【００４８】
ここで、識別ラベル３１の表示内容は、ポスターＰの図画、装飾等シート面に描かれた内容をそのまま表示するものである。この表示内容に加えて、またはこの表示内容に代えて、品番などの識別情報を表示してもよい。
【００４９】
図６は識別部材１８の円筒軸に沿った断面を示している。筒状部１９の一端部に蓋部２０が形成され端部を閉塞する。他端部は開口されており、筒状に巻回されたポスターＰに挿入される。蓋部２０の中心部分には開口部２０Ｂがある。開口部２０Ｂの外周面であって蓋部２０の外方面は、エンボス加工が施された貼着部２０Ａがある。
【００５０】
貼着部２０Ａは、エンボス加工により表面が粗面化されており、凹凸のある面になっている。この凹凸面に識別ラベル３１が貼着されるため、識別ラベル３１と貼着部２０Ａとの密着性は制限されたものとなる。すなわち、識別ラベル３１の貼着力は制限されたものとなる。
【００５１】
図７は、蓋部２０の貼着部２０Ａに貼着された識別ラベルを剥がす際の様子を示した図である。識別ラベル３１のうち蓋部２０の開口部２０Ｂに重なる部分を指等で押圧する。貼着部２０Ａの粗面加工により識別ラベルの貼着部２０Ａへの貼着力は制限されたものとなっているので、識別ラベルが開口部２０Ｂに押し込まれることに応じて、貼着部２０Ａから識別ラベル３１が遊離する。貼着部２０Ａから識別ラベルを容易に剥がすことができる。
【００５２】
ここで、識別部材１８は、金属や硬質プラスチック等の剛性のある材質で構成してもよく、軟質プラスチックや合成樹脂等の剛性の小さい材質で構成することもできる。合成が小さいな材質であれば容易に変形させることができ、筒状に巻回されたポスターＰの端部に装着が容易になると共に、蓋部２０に貼着された識別ラベル３１を剥がすにあたって識別ラベル３１を押圧する際、蓋部２０自体も湾曲して、識別ラベル３１の貼着部２０Ａからの剥離を更に容易にすることができる。
【００５３】
筒状に巻回されたポスターＰの端部に識別部材１８を装着することにより、筒状端部の角折れや破れ等を防止することができる。また、識別部材１８の蓋部２０に、ポスターＰのシート面に表示されている図画、装飾の内容を表示した識別ラベル３１を貼着するので、筒状に巻回されている状態でポスターＰの内容を確認することができる。このとき、貼着された識別ラベル３１のうち開口部２０Ｂに重なる部分を押圧して識別ラベル３１を押し込んでやれば、エンボス加工等で粗面加工が施された貼着部２０Ａに貼着されている識別ラベル３１を容易に剥がすことができる。更に、エンボス加工等の粗面加工により識別ラベル３１の貼着力が制限されているので、識別ラベル３１を剥がす際に、きれいに剥がすことができる。貼着部２０Ａに粘着剤や剥がし残り等が残存することはなく、識別部材１８を再利用することができる。
【００５４】
尚、本発明は前記実施形態に限定されるものではなく、本発明の趣旨を逸脱しない範囲内で種々の改良、変形が可能であることは言うまでもない。
【００５５】
例えば、本実施形態では、収納部１１、１１Ａ、１１Ｂについて例示して説明したが、本発明はこれに限定されるものではない。積層されて収納されるシート状物を囲む第１支持体の形状、シート状物が出し入れされる端部に備えられる第２支持部の形状は、例示された形状に限定されるものではない。
【００５６】
また、シート状物の陳列什器１として図１に例示して説明したが、本発明はこれに限定されるものではない。収納体の配置位置、配置角度は図１に限定されるものではない。図１において、筒状に巻回されたポスターを陳列する構造部分（Ｂ）に代えて、ポスターを平板上の開いた状態で陳列する構造部分（Ａ）を２段構成で備えることや、更に多段構成とすることも可能である。
【００５７】
また、識別部材１８について、蓋部２０の中心部分に開口部２０Ｂを備える場合について説明したが、本発明はこれに限定されるものではない。識別ラベル３１を剥がす際に、外方からの押圧により識別ラベル３１が押し込まれる構造であれば良く、開口部２０Ｂに代えて凹状部を備えることもできる。
【００５８】
また、開口部２０Ｂまたは凹状部が蓋部２０の中心部分に備えられる場合について説明したが、本発明はこれに限定されるものではない。識別ラベル３１を剥がす際、識別ラベル３１の押圧により識別ラベル３１が押し込まれればよい。開口部または凹状部と貼着された識別ラベル３１との重なり部分があれば良い。
【００５９】
また、貼着部２０Ａの粗面加工は、識別ラベル３１の貼着力を調整することを目的としている。エンボス加工の他、サンドブラスト加工等を利用することができることはいうまでもない。
【図面の簡単な説明】
【００６０】
【図１】ポスターの陳列什器の実施形態を示す斜視図である。
【図２】ポスターを積層して収納する収納体の実施形態を示す斜視図である。
【図３】収納体が回動可能に装着される構造を示す具体例である。
【図４】収納体の変形例を示す斜視図である。
【図５】ポスターの識別部材と筒状端部への装着の様子とを示す斜視図である。
【図６】識別部材の断面図である。
【図７】識別部材から識別ラベルを剥がす際の様子を示す図である。
【符号の説明】
【００６１】
１      陳列什器
２      支持台
１１、１１Ａ、１１Ｂ      収納体
１２、１３、１３Ａ、１３Ｂ、１４、１４Ａ、１４Ｂ      枠体（第１支持体）
１５、１５Ｂ      第２支持体
１６、１７      支持枠
１６Ａ、１７Ａ      支持面
１８      識別部材
１９      筒状部
２０      蓋部
２０Ａ      貼着部
２０Ｂ      開口部
２１、２２      支柱
２３、２４      支持体
２３Ｈ、２４Ｈ      支持孔
２５、２６      突状部
２７      切り欠き部
３１      識別ラベル
Ｐ      ポスター
【図１】
2006136733.tif 000003
【図２】
2006136733.tif 000004
【図３】
2006136733.tif 000005
【図４】
2006136733.tif 000006
【図５】
2006136733.tif 000007
【図６】
2006136733.tif 000008
【図７】
2006136733.tif 000009